(57)【要約】【課題】着脱容易、かつスライド自在に取付けられるとともに、取付け後は、確実に小物類を吊下げ保持できるキャビネット用ハンギング構造を提供する。【解決手段】キャビネットの前面パネルの横方向に凹設され、前面に開口する側断面視略コの字型の溝部４に嵌合されるハンギング構造Ａであって、該ハンギング構造Ａは側面視Ｌ字型の圧接面２１とこの圧接面２１に連接する保持片２２とを備えた保持部２と、上記溝部４に遊嵌合するとともに上記保持部２を係止する係止部１とから構成され、該係止部１は固定用ネジ３が螺入するネジ孔１１１を備えた前面板１１とこの前面板１１の上下に各々付設された上部嵌合片１２と下部嵌合片１３とからなり、上部嵌合片１２はその下面に固定用ネジ３の進退にしたがって弾性変位するように、テーパ面１２１が設けられる。【選択図】図３
2006006367.tif 000002
【特許請求の範囲】
【請求項１】
キャビネットの前面パネルの横方向に凹設され、前面に開口する側断面視略コの字型の溝部に嵌合されるハンギング構造であって、該ハンギング構造は側面視Ｌ字型の圧接面とこの圧接面に連接する保持片とを備えた保持部と、上記溝部に遊嵌合するとともに上記保持部を係止する係止部とから構成され、該係止部は固定用ネジが螺入するネジ孔を備えた前面板とこの前面板の上下に各々付設された上部嵌合片と下部嵌合片とからなり、上部嵌合片はその下面に固定用ネジの進退にしたがって弾性変位するように、テーパ面が設けられたハンギング構造。
【請求項２】
上記溝部の上部開口端にはストッパーが垂設されるとともに、上記上部嵌合片の上面には、上記ストッパーと係合する係合部が凸設された請求項１に記載のハンギング構造。
【請求項３】
上記保持部の保持片には、別体である各種吊下げ手段が取着可能とされた請求項１に記載のハンギング構造。
【請求項４】
上記溝部がミラーキャビネットのミラーを固定するミラーサッシの下部に一体的に形成された請求項１に記載のハンギング構造。
【発明の詳細な説明】
【技術分野】
【０００１】
本発明は、キャビネット用ハンギング構造に関する。さらに詳しくは、ミラーキャビネット等のキャビネットの前面パネルに取付けられ、種々の小物類を吊下げ保持するためのハンギング構造に関する。
【背景技術】
【０００２】
従来、上記キャビネットにおいて、小物類を保持するためのハンギング構造に関しては種々の技術が公知である。例えば、下記特許文献には、キッチンキャビネットの天袋の底板やキッチンの壁面に横方向に固定されるとともに、調理用備品等の小物を載置する載置台を吊下げ保持するための吊下げレールが開示されている。
【特許文献１】特開平１１−３０９０３４号公報（第１−３頁、第２図、第３図）
【発明の開示】
【発明が解決しようとする課題】
【０００３】
しかしながら、上記技術においては、別部材である吊下げレールを天袋の底板やキッチンの壁面に固定しなければならず手間がかかり、また、上記載置台は、上記第２図、第３図から明らかなように、単に引っ掛けて吊下げられているため不安定であり、落下し易いという問題がある。本発明はこのような問題を解決して、簡単に取付けられるとともに、取付け後は、確実に小物類を吊下げ保持できるキャビネット用ハンギング構造を提供することをその課題とする。
【課題を解決するための手段】
【０００４】
上記課題を解決するために、本発明においては、つぎのような技術的手段を講じている。すなわち、本発明によれば、キャビネットの前面パネルの横方向に凹設され、前面に開口する側断面視略コの字型の溝部に嵌合されるハンギング構造であって、該ハンギング構造は側面視Ｌ字型の圧接面とこの圧接面に連接する保持片とを備えた保持部と、上記溝部に遊嵌合するとともに上記保持部を係止する係止部とから構成され、該係止部は固定用ネジが螺入するネジ孔を備えた前面板とこの前面板の上下に各々付設された上部嵌合片と下部嵌合片とからなり、上部嵌合片はその下面に固定用ネジの進退にしたがって弾性変位するように、テーパ面が設けられたハンギング構造が提供される。上記係止部は、通常、弾性を有する合成樹脂、例えば、ポリプロピレン、硬質塩化ビニル樹脂、ＡＢＳ樹脂等から形成される。
【０００５】
上記溝部の上部開口端にはストッパーが垂設されるとともに、上記上部嵌合片の上面には、上記ストッパーと係合する係合部が凸設されることが好ましい。また、上記保持部の保持片に、別体である各種吊下げ手段を取着することも可能である。さらに、上記ハンギング構造はミラーキャビネットに好適に用いられ、このとき、上記溝部はミラーを固定するミラーサッシの下部に一体的に形成されることが好ましい。
【発明の効果】
【０００６】
請求項１に記載の発明は上記のとおりであり、該ハンギング構造は側面視Ｌ字型の圧接面とこの圧接面に連接する保持片とを備えた保持部と、溝部に遊嵌合するとともに上記保持部を係止する係止部とから構成されているため、上記係止部は、上記キャビネットの前面パネルの横方向に凹設された溝部に沿って左右にスライド自在とされ、また、固定用ネジを螺入することによりテーパ面が押されて上部嵌合片と下部嵌合片との間が広がり、所望の位置でしっかりと上記保持部を圧接して係止することができる。
【０００７】
上記溝部の上部開口端にはストッパーが垂設されるとともに、上記上部嵌合片の上面には、上記ストッパーと係合する係合部が凸設されているため、一旦弾性係合された係止部は外れることがなく、溝部に沿って左右にスライド自在に遊嵌合することができる。
【０００８】
上記保持部の保持片には、別体である各種吊下げ手段が取着可能とされているため、小物の種類に応じて、フック、タオル掛け、載置棚等を吊下げ保持することができる。また、上記ハンギング構造をミラーキャビネットに適用するとともに、上記溝部をミラーを固定するためのミラーサッシの下部に一体的に形成することにより、ミラーキャビネットの前面パネルに、コップ、タオル、石けん等の小物類を意匠性よく吊下げ保持することができる。
【発明を実施するための最良の形態】
【０００９】
以下、本発明にかかるハンギング構造をミラーキャビネットに適用した実施形態について、図面を参照して詳細に説明する。図１は、上記した本発明のハンギング構造Ａを示す分解斜視図である。図１に示されているように、前面に開口する側断面視略コの字型の溝部４は、その上部開口端にストッパー４１が垂設されるとともに、ミラーキャビネットのミラーサッシＢの下部に一体的に形成され、一方、ハンギング構造Ａは、側面視Ｌ字型の圧接面２１とこの圧接面２１に連接する保持片２２とを備えた保持部２と、上記保持部２を係止するとともに、上記溝部４に遊嵌合する係止部１と固定用ネジ３とから構成されている。
【００１０】
上記係止部１は、固定用ネジ３が螺入するネジ孔１１１を備えた前面板１１と、この前面板１１の上下に各々付設された上部嵌合片１２と下部嵌合片１３とからなり、上部嵌合片１２は、その下面に固定用ネジ３のネジ部３１の進退にしたがって弾性変位するようにテーパ面１２１が設けられている。また、上部嵌合片１２の上面には、上記ストッパー４１と係合する係合部１２２が凸設され、上記保持部２の圧接面２１には、種々の吊下げ手段を保持するための保持片２２が連接されている。
【００１１】
つぎに、図２を参照して、上記ハンギング構造Ａをミラーキャビネットのミラー５を固定するミラーサッシＢの下部に形成された溝部４に装着する操作について説明する。図２からよくわかるように、まず側面視Ｌ字型の圧接面２１を溝部４に挿入し、保持部２を装着する。その後、係止部１を上部嵌合片１２と下部嵌合片１３とを抑えて弾性変形させつつ、溝部４の天面４２と上記圧接面２１との間の空間に嵌め込む。このとき、係止部１は、その上部嵌合片１２の上面に凸設された係合部１２２が、溝部４の上部開口端に垂設されたストッパー４１と係合するため、外れることなく溝部４に沿って保持部２とともに、左右にスライド自在に遊嵌合することができる。
【００１２】
一方、保持部２を所望の位置で固定する場合は、スライド自在とされた係止部１を保持部２とともに所望の位置へ移動して固定用ネジ３をネジ孔１１１を介して螺入する。固定用ネジ３の螺入にしたがってネジ部３１がテーパ面１２１を押し上げるため、上部嵌合片１２と下部嵌合片１３とが、溝部４の天面４２と保持部２の圧接面２１とに圧接し、しっかりと固定することができる。図３は、このようにして固定されたハンギング構造Ａを示す側断面図である。なお、固定用ネジ３を緩めれば、上部嵌合片１２と下部嵌合片１３とが弾性復帰するため、係止部１は遊嵌合した状態となり、溝部４に沿って再び、左右にスライド自在、かつ、着脱自在となる。
【００１３】
上記保持部２の圧接面２１に連接する保持片２２には、種々の吊下げ手段を取着することができる。例えば、図４（ａ）にはコップの取っ手等を引っ掛け、保持するフック６を取着した例を、図４（ｂ）には２個の保持部２にタオル掛け７を架設した例を、図４（ｃ）には２個の保持部２に石けん等を載置する載置棚８を取着した例を示す。図５は、本発明にかかるハンギング構造Ａを用いて上記載置棚８をミラーキャビネットに取付けた状態を示す斜視図である。
【００１４】
なお、上記は、別体である種々の吊下げ手段を保持部２に取着した例を示したが、これに限定されず、上記保持片２２と各種吊下げ手段とを一体的に形成してもよい。例えば、保持片２２の先端部をフック状に形成してコップの取っ手等を引っ掛け、保持するようにしてもよい。このように、吊下げ手段が別体とされた場合も、一体的に形成されている場合においても、本発明の特許請求の範囲を逸脱しない限り本発明の技術的範囲に含まれる。
【図面の簡単な説明】
【００１５】
【図１】本発明にかかるハンギング構造を示す分解斜視図である。
【図２】上記ハンギング構造をミラーサッシの下部に形成された溝部に嵌合する操作について説明する説明図である。
【図３】ミラーサッシの下部に形成された溝部に上記ハンギング構造を固定した状態を示す側断面図である。
【図４（ａ）】保持部にフックを取着した例を示す斜視図である。
【図４（ｂ）】２個の保持部にタオル掛けを架設した例を示す斜視図である。
【図４（ｃ）】２個の保持部に載置棚を取着した例を示す斜視図である。
【図５】ミラーキャビネットに上記ハンギング構造を用いて載置棚を取付けた状態を示す斜視図である。
【符号の説明】
【００１６】
Ａ          本発明にかかるハンギング構造
Ｂ          ミラーサッシ
１          係止部
１１        前面板
１１１      ネジ孔
１２        上部嵌合片
１２１      テーパ面
１２２      係合部
１３        下部嵌合片
２          保持部
２１        圧接面
２２        保持片
３          固定用ネジ
３１        ネジ部
４          溝部
４１        ストッパー
４２        天面
５          ミラー
６          フック
７          タオル掛け
８          載置棚
【図１】
2006006367.tif 000003
【図２】
2006006367.tif 000004
【図３】
2006006367.tif 000005
【図４（ａ）】
2006006367.tif 000006
【図４（ｂ）】
2006006367.tif 000007
【図４（ｃ）】
2006006367.tif 000008
【図５】
2006006367.tif 000009